(57)【要約】【課題】波形屋根に安定した状態に取り付けられるとともに、屋根上取付具自体が波形屋根の重合部を固定するためのナットの代わりとなる雌ネジ機能を有した屋根上取付具を提供する。【解決手段】一方の鍔片１２１には、波形屋根３０の重合部３０ａの下方より貫通されるボルト体２１に螺合して鍔片１２を波形屋根３０に固定できるようにした第１ネジ孔１２１ａが形成され、他方の鍔片１２２には、波形屋根３０の重合部３０ａの下方より貫通されるボルト体２１に螺合して鍔片１２２を波形屋根３０に固定できるようにした第２ネジ孔１２２ａが形成されている。【選択図】図１
2010255304.tif 000002
【特許請求の範囲】
【請求項１】
上板と、脚片と、波形屋根の隣接する波形屋根材の側端縁部が重合して形成された重合部に取り付けられる鍔片とを備えた屋根上取付具において、
上記鍔片には、上記波形屋根の重合部の下方より貫通されるボルト体に螺合されるネジ孔が形成されていることを特徴とする屋根上取付具。
【請求項２】
上板および両脚片を備え断面略倒コ字形に形成された本体部と、該両脚片のそれぞれの下端部から横方向に延びた両鍔片とをすくなくとも備えてなり、波形屋根の隣接する波形屋根材の側端縁部が重合して形成された重合部に固定できる構造とした屋根上取付具において、
上記両鍔片のうちの一方の鍔片には、上記波形屋根の重合部の下方より貫通されるボルト体に螺合して上記鍔片を上記波形屋根に固定できるようにした第１ネジ孔が形成され、他方の鍔片には、上記波形屋根の重合部の下方より貫通されるボルト体に螺合して上記鍔片を上記波形屋根に固定できるようにした第２ネジ孔が形成されていることを特徴とする屋根上取付具。
【請求項３】
請求項２において、
上記第１ネジ孔と、上記第２ネジ孔とは孔径が異なる屋根上取付具。
【発明の詳細な説明】
【技術分野】
【０００１】
本発明は、波形屋根の隣接する波形屋根材の側端縁部が重合して形成された重合部に固定できる屋根上取付具に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、山部と谷部とが交互に連続してなる波形屋根における山部の頂部等で、隣接する波形屋根材同士を重ねて形成された重合部を、ボルト体とナットの螺着によって連結、固定した構造のものでは、重合部を屋根の下方より貫通して屋根上に突出された、折板屋根材連結のためのボルト体を、対向する挟着片で挟み込んで固定する構造の屋根上取付具も提案されている。
【０００４】
この屋根上取付具は、両脚片を備えて断面略倒コ字形に形成した本体部と、その両脚片の下端から対向するように延びた両鍔片（両挟着片）とを備えており、両脚片を横方向に貫通する緊締用ボルト、ナットで両脚片を緊締して、ボルト体に両鍔片を挟着させて取り付ける構造となっている。このような取付構造によれば、鍔片の先端部がボルト体のネジ溝に食い込んで固定できるため、屋根上取付具が容易に外れるおそれはない。
【先行技術文献】
【特許文献】
【０００５】
【特許文献１】特許第３３６８３７４号
【発明の概要】
【発明が解決しようとする課題】
【０００６】
ところが、この種の構造のものでは、波形屋根の上面に、上記ボルト体に螺着されるナットが配されているから、そのナットよりも上方位置に屋根上取付具を取り付ける必要があり、そのため、屋根上取付具は屋根に密着した状態には取り付けられず、不安定になってしまうおそれがあった。
【０００７】
本発明は、このような事情を考慮して提案されたもので、その目的は、波形屋根に安定した状態に取り付けられるとともに、屋根上取付具自体が波形屋根の重合部を固定するためのナットの代わりとなる雌ネジ機能を有した屋根上取付具を提供することにある。
【０００８】
また、屋根上取付具に雌ネジ機能を持たせるためには、ボルト体に対応したネジ孔を設けることが想定できるが、波形屋根の重合部を固定するボルト体には種々の寸法のものがあるため、ボルト体の寸法に応じて雌ネジ部の寸法が異なる同形状の複数品種の屋根上取付具を製造しなければならず、そうなると生産個数の多数化、生産設備の増大化および在庫管理の煩雑化が予想される。
【０００９】
このような想定を考慮して、ナットを必要としないとともに、屋根上取付具の生産個数が多数化することもなく、生産設備が増大化することもなく、かつ在庫管理が煩雑化することもない、利便性の高い屋根上取付具を提供することも、本発明の目的としている。
【課題を解決するための手段】
【００１０】
上記目的を達成するために、請求項１に係る屋根上取付具は、上板と、脚片と、波形屋根の隣接する波形屋根材の側端縁部が重合して形成された重合部に取り付けられる鍔片とを備えた屋根上取付具において、鍔片には、波形屋根の重合部の下方より貫通されるボルト体に螺合されるネジ孔が形成されていることを特徴としている。
【００１１】
請求項２に係る屋根上取付具は、上板および両脚片を備え断面略倒コ字形に形成された本体部と、両脚片のそれぞれの下端部から横方向に延びた両鍔片とをすくなくとも備えてなり、波形屋根の隣接する波形屋根材の側端縁部が重合して形成された重合部に固定できる構造とした屋根上取付具において、両鍔片のうちの一方の鍔片には、波形屋根の重合部の下方より貫通されるボルト体に螺合して鍔片を波形屋根に固定できるようにした第１ネジ孔が形成され、他方の鍔片には、波形屋根の重合部の下方より貫通されるボルト体に螺合して鍔片を波形屋根に固定できるようにした第２ネジ孔が形成されていることを特徴としている。
【００１２】
請求項３に係る屋根上取付具では、第１ネジ孔と、第２ネジ孔とは孔径が異なる。
【発明の効果】
【００１３】
本発明によれば、次のような効果がある。
【００１４】
すなわち、請求項１または２に係る屋根上取付具によれば、鍔片に波形屋根の重合部の下方より貫通されるボルト体に螺合されるネジ孔が形成されているので、屋根上取付具自体が、波形屋根の重合部を固定するために使用されるボルト体に螺合されるナットの代わりとなる。したがって、ナットを使用しなくてもよいため、屋根上取付具を波形屋根に安定的に取り付けることができる。また、屋根上取付具はネジ孔による螺合によって波形屋根に取付固定できるので、取付のための部材や構造を含まなくてもよく、そのため構造を簡易化できる。
【００１５】
また、請求項２に係る屋根上取付具によれば、両鍔片の一方に第１ネジ孔、他方に第２ネジ孔が形成され、それぞれのネジ孔でボルト体に螺合できるようになっているので、屋根上取付具を両鍔片を分離するように切断すれば、１品で波形屋根の２箇所分の屋根上取付具として利用できる。つまり、２箇所分の屋根上取付具を１品として生産すればよいので、生産個数を少なくできる。
【００１６】
請求項３に係る屋根上取付具によれば、第１ネジ孔と、第２ネジ孔とは孔径が異なるので、波形屋根の重合部の固定に使用されるボルト体の寸法に合わせて第１ネジ孔、第２ネジ孔のいずれかを使用すればよいし、切り離して使用することもでき、利便性はきわめてよい。また、２種類の取付具を１品種の製品として生産すればよいので、生産設備の増大化および在庫管理の煩雑化を防止できる。
【図面の簡単な説明】
【００１７】
【図１】本発明に係る屋根上取付具の第１の実施形態を示す分解斜視図である。
【図２】（ａ）は図１に示した屋根上取付具の正面図、（ｂ）は同側面図である。
【図３】同屋根上取付具の他の使用例を示す正面図である。
【図４】（ａ）、（ｂ）はそれぞれ、第１の実施形態の他２例を示す正面図である。
【図５】（ａ）〜（ｃ）はそれぞれ、本発明に係る屋根上取付具の第２の実施形態を示す屋根上取付具の３例の正面図である。
【発明を実施するための形態】
【００１８】
以下に、本発明の実施の形態について、添付図面を参照しながら説明する。なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００１９】
図１は、本発明に係る屋根上取付具の第１の実施形態を示す分解斜視図である。また、図２（ａ）は図１に示した屋根上取付具の正面図、図２（ｂ）は同側面図である。図３は、同屋根上取付具の他の使用例を示す正面図である。
【００２０】
本実施形態に使用される折板屋根３０は、山部３１と谷部３２とが交互に連続する屋根であって、隣接する折板屋根材の側端縁部が山部３１の頂部３１ａで重合し、その重合部３０ａをボルト体２１と、後述する第１ネジ孔または第２ネジ孔との螺着によって連結した重ね式構造となっている。また、ボルト孔３０ｂからの水浸入を防止するために、頂部３１ａ上面のボルト孔３０ｂの周辺等に防水パッキン（図示省略）を取り付けることが望ましい。
【００２１】
一方、屋根上取付具１０は、金属板または硬質樹脂板よりなり、折板屋根３０の頂部３１ａより上方に突出した重合部連結用の上記ボルト体２１に挟着して、取付、固定する構造となっている。
【００２２】
具体的には、屋根上取付具１０は、各種機器・部材類（不図示）を設置するための上板１１ａと、その上板１１ａの両端から下方に延びる両脚片１１ｂ、１１ｂとを備えた断面略倒コ字形の本体部１１と、両脚片１１ｂ、１１ｂのそれぞれの下端から対向するように折曲延設された両鍔片１２、１２とを備えている。
【００２３】
そして、両鍔片１２、１２のうち一方の鍔片（図２（ａ）における右側の鍔片。以下、第１鍔片１２１という）には、径大の第１ネジ孔１２１ａが開設され、他方の鍔片（図２（ａ）における左側の鍔片。以下、第２鍔片１２２という）には、径小の第２ネジ孔１２２ａが開設されている。
【００２４】
これらの第１、第２ネジ孔１２１ａ、１２２ａは、いずれも折板屋根３０の重合部３０ａを連結するためのボルト体２１に螺合させるためのネジ孔であり、ボルト体２１の径寸法に合わせて、いずれか一方のネジ孔が使用できるようになっている。本図例には、第１ネジ孔１２１ａが重合部３０ａの連結用のボルト体２１に螺合されるものを示している。
【００２５】
こうして、第１鍔片１２１の第１ネジ孔１２１ａがボルト体２１の雄ネジ部２１ａに螺合することで、屋根上取付具１０は頂部３１ａ（重合部３０ａ）の上側に取付固定される。
【００２６】
このように、屋根上取付具１０がネジ孔とボルト体２１の螺合によって折板屋根３０に取り付けられる構造となっているため、工具を使用することなく、屋根上取付具１０自体を回転させながら屋根上に取り付けることができる。また、第１ネジ孔１２１ａを有した第１鍔片１２１は、重合部３０ａの固定用のボルト体２１に対するナットの代わりとなるから、当然にナットを使用しなくてもよく、そのため、屋根上取付具１０を折板屋根３０に安定的に取り付けることができるし、部品点数を減らすこともできる。また、屋根上取付具１０はネジ孔による螺合によって折板屋根３０に取付固定できるので、取付のための部材や構造を含まなくてもよく、そのため構造を簡易化でき、それによっても部品点数を減らすことができる。
【００２７】
図３は、同屋根上取付具１０の他の使用例を示す正面図である。
【００２８】
この図例では、折板屋根３０の折板屋根材は図１の屋根材にくらべて薄く形成されたもので、それに応じて重合部３０ａを連結するボルト体２１も径が小さい。そのため、屋根上取付具１０は、第２鍔片１２２に形成された径小の第２ネジ孔１２２ａがボルト体２１に螺合して取り付けられている。
【００２９】
このように、屋根上取付具１０は孔径の相互に異なる第１ネジ孔１２１ａと第２ネジ孔１２２ａとを有しているので、図１、２に示した径大のボルト体２１を使用した折板屋根３０にも、図３に示した径小のボルト体２１を使用した折板屋根３０にも利用できる。
【００３０】
また、この屋根上取付具１０を、図３に図示した符号Ａの位置で上板１１ａを切断して、第１ネジ孔１２１ａを有した第１屋根上取付具１０１と、第２ネジ孔１２２ａを有した第２屋根上取付具１０２とに分割すれば、２種の折板屋根３０（ボルト体２１）に対して個別に使用することができる。
【００３１】
この屋根上取付具１０は、上記のように２種類の折板屋根１０に対する取付具を含んだ構造であるため、折板屋根３０の重合部３０ａの固定に使用されるボルト体２１の径寸法に合わせて第１ネジ孔１２１ａ、第２ネジ孔１２２ａのいずれかを使用すればよく、利便性はきわめて高い。また、屋根上取付具１０は第１屋根上取付具１０１と第２屋根取付具１０２とを一体化（一製品化）した構造であるため、生産個数を少なくできる。特に、ネジ孔径の異なる２種の製品を含んでいるので、一体化することで、生産設備の増大化および在庫管理の煩雑化を引き起こすことを防止できる。
【００３２】
なお、図１〜図３の例では、第１ネジ孔１２１ａと第２ネジ孔１２２ａとが異なる径に形成された屋根上取付具１０を示したが、第１ネジ孔１２１ａと第２ネジ孔１２２ａとが同一径である屋根上取付具であってもよい。この場合でも２個で一体の構造であるため、生産個数が多くならないという効果が期待できる。
【００３３】
図４（ａ）、（ｂ）は、第１の実施形態の他２例を示す屋根上取付具の正面図である。
【００３４】
これらの屋根上取付具１０も、いずれもが、折板屋根３０の隣接する折板屋根材の側端縁部が重合して形成された重合部３０ａに固定できる構造となっている。図１に示した屋根上取付具１０と同様に、上板１１ａと両脚片１１ｂ、１１ｂよりなる本体部１１が断面略倒コ字形であり、一方の鍔片１２（第１鍔片１２１）に第１ネジ孔１２１ａが形成され、他方の鍔片１２（第１鍔片１２２）には第１ネジ孔１２１ａとは孔径の異なる第２のネジ孔１２２ａが形成され、いずれかのネジ孔にボルト体２１が螺合されるように構成されているが、図１に示した屋根上取付具１０とは全体形状が異なる。
【００３５】
すなわち、図４（ａ）の屋根上取付具１０は、上板１１ａと両脚片１１ｂ、１１ｂよりなる本体部１１は図１に示した屋根上取付具１０と同形状であるが、第１鍔片１２１は先端が外を向いており、両鍔片１２、１２の先端が同方向を向くように形成されている。
【００３６】
また、図４（ｂ）の屋根上取付具１０は、両脚片１１ｂ、１１ｂと鍔片１２の位置は図４（ａ）と同じであるが、上板１１ａが右に延び、右側の第１鍔片１２１の上方を覆った形状となっている。したがって、第１、第２鍔片１２１、１２２の上方を上板１１ａが覆った形状となっているため、この屋根上取付具１０を、第１ネジ孔１２１ａと第２ネジ孔１２２ａとが分かれるように、Ｂ位置で切断し、第１屋根上取付具１０１と第２屋根上取付具１０２とに分離して利用することができる。
【００３７】
なお、屋根上取付具の形状としては、本体部を断面略倒コ字形とし、両鍔片が外側を向くように形成されたものでもよい。
【００３８】
ついで、本発明に係る屋根上取付具の第２の実施形態について説明する。
【００３９】
図５（ａ）〜（ｃ）はそれぞれ、第２の実施形態を示す屋根上取付具の正面図である。
【００４０】
これらの屋根上取付具１０Ａも、折板屋根３０の重合部３０ａに取り付けて固定する構造となっており、各種機器・部材類（不図示）を設置するための上板１１ａと、脚片１１ｂと、重合部３０ａに取り付けられる１つの鍔片１２とを備え、鍔片１２には、重合部３０ａの下方より貫通されるボルト体２１に螺合される１つのネジ孔１２ａが形成されている。図５（ａ）、（ｂ）の屋根上取付具１０は、脚片１１ｂが１つで、全体形状はそれぞれコ字形、Ｚ字形となっている一方、図５（ｃ）のものは、脚片１１ｂが２つで、全体形状はロ字形となっている。なお、図５（ａ）の屋根上取付具１０Ａの形状は、図３に示した第１屋根上取付具１０１または第２屋根取付具１０２に一致する。
【００４１】
このように、これらの屋根上取付具１０Ａも、鍔片１２にはボルト体２１に螺合されるネジ孔１２ａが形成されているので、第１の実施形態の屋根上取付具１０（図１参照）と同様、ナットを使用することなく、屋根上取付具１０Ａを折板屋根に取り付けることができる。
【００４２】
以上の第１の実施形態の２例および第２の実施形態の例では、山部３１、谷部３２の方向に沿って両脚片１１ｂ、１１ｂが配列されるように屋根上取付具１０を配しているが、波の方向に沿って両脚片１１ｂ、１１ｂが配列されるように屋根上取付具１０を配してもよいし、その他のどのような向きに配してもよい。
【符号の説明】
【００４３】
１０、１０Ａ      屋根上取付具
１０１      第１屋根上取付具
１０２      第２屋根上取付具
１１      本体部
１１ａ      上板
１１ｂ      脚片
１２      鍔片
１２１      第１鍔片
１２１ａ      第１ネジ孔
１２２      第２鍔片
１２２ａ      第２ネジ孔
１２ａ      ネジ孔
２１      ボルト体
２２      ナット
３０      折板屋根（波形屋根）
３０ａ      重合部
３１      山部
３１ａ      頂部
３２      谷部
【図１】
2010255304.tif 000003
【図２】
2010255304.tif 000004
【図３】
2010255304.tif 000005
【図４】
2010255304.tif 000006
【図５】
2010255304.tif 000007